(57)【特許請求の範囲】
【請求項１】
間隔をあけて設置された２本の単管の上から覆い被せるように装着する単管足場用作業台であって、
矩形形状の平面部と、
前記平面部の左右の端からそれぞれ連続して形成されたもので、前記単管の外周面に当接するような直径の円筒形状の一部を呈するような形状で、その内周面が前記単管の外周面の１／３乃至１／２に当接する大きさであり、前記装着時には内周面が前記単管の外周面に当接することで該単管に対する位置を固定するものであって、押し広げることで前記２本の単管の上から装着可能とする２つの側面部と、を備え、
前記平面部及び側面部は、ポリ塩化ビニール又はポリエチレンにより一体成型されていることを特徴とする
単管足場用作業台。
【請求項２】
前記平面部の内面には、前記２つの側面部のそれぞれの内周面と連続する内周面を有する２つの補助部材が配設されている
請求項１に記載の単管足場用作業台。
【請求項３】
前記側面部の内周面に保持強化部材を配設し、前記保持強化部材が前記単管に当接する
請求項１又は請求項２のいずれか１項に記載の単管足場用作業台。
【請求項４】
前記平面部の外面の少なくとも一部の領域に滑止部材を配設した
請求項１乃至請求項３のいずれか１項に記載の単管足場用作業台。
【請求項５】
前記平面部の外面は凹凸形状となっている
請求項１乃至請求項３のいずれか１項に記載の単管足場用作業台。
【請求項６】
前記平面部には所定の間隔で複数の開口部が形成されている
請求項１乃至請求項３のいずれか１項に記載の単管足場用作業台。
【発明の詳細な説明】
【技術分野】
【０００１】
本発明は、単管足場に簡単に装着することができる単管足場用作業台に関する。
【背景技術】
【０００２】
従来、住宅リフォーム工事を行う際には足場を仮設するが、作業台の付いた足場は高額であることから、塗装工事を行う職人等の多くは作業台の付いていない単管足場を仮設して作業を進めることが多い。ここで、単管足場とは、２本の単管を所定の間隔をあけて長手方向に平行となるように併設した足場をいう。
【０００３】
このような単管足場では、平行に併設された２本の単管の間に所定幅の隙間が生じていることから、作業者の移動時の安全性は十分なものでなかった。さらに、単管の間に隙間が生じていることから、作業中に工事に係る材料や道具を一単管の上に一時的に置くこともできず、作業効率も悪いことが懸念されていた。
【０００４】
ここで、例えば、特許文献１では、二本の単管の周面の上部に載置され、荷重を支持する支持面を有する荷重支持体と、二本の単管の周面の下部に係止される係止体と、二本の単管の間における隙間に挿通され、荷重支持体と係止対とを連結する連結体とを備えた仮設装置が開示されている。
【先行技術文献】
【特許文献】
【０００５】
【特許文献１】特開２０１５−１２１０７０号公報
【発明の概要】
【発明が解決しようとする課題】
【０００６】
しかしながら、特許文献１に開示されたものは、作業者の移動時の安全性を確保するものではなかった。更に、係止体と連結体を備えた複雑な構成であることから、製造コストも高く、２本の単管への装着作業も煩雑なものであった。また、下部に係止体と連結体を備えた構成であることから、高さ方向のサイズも大きく、持ち運びや複数重ねて保管することも簡便ではなかった。
【０００７】
そして、単管足場では、２本の単管の間に隙間が生じていたことから、該隙間から下方が見えてしまい、高所恐怖症の作業者にとっては、それが恐怖となり、作業効率を低下させる原因ともなっていた。また、隙間に足が入り込まないように移動しなければならないため、視力が低下した高齢の作業者等は、危険を伴うため、退職又は引退を余儀なくされていた。高齢化社会の到来により高齢者の雇用問題も重要となってきているので、このような事態の回避は業界においても嘱望されていた。
【０００８】
本発明は、このような課題に鑑みてなされたものであり、軽量で持ち運びや保管も簡便で、単管に簡単に装着することができ、装着時には単管間の隙間から下方が見えなくなることで作業者の高所に対する恐怖心も緩和され、作業者の移動の安全性を向上させ、更に材料や道具等を一時的に置くことができるようにして、作業効率を大幅に向上させる単管足場用作業台を提供することを目的とする。
【課題を解決するための手段】
【００１０】
本発明の第１の態様に係る単管足場用作業台は、間隔をあけて設置された２本の単管の上から覆い被せるように装着する単管足場用作業台であって、矩形形状の平面部と、前記平面部の左右の端からそれぞれ連続して形成されたもので、前記単管の外周面に当接するような直径の円筒形状の一部を呈するような形状で、その内周面が前記単管の外周面の１／３乃至１／２に当接する大きさであり、前記装着時には内周面が前記単管の外周面に当接することで該単管に対する位置を固定するものであって、押し広げることで前記２本の単管の上から装着可能とする２つの側面部と、を備え、前記平面部及び側面部は、ポリ塩化ビニール又はポリエチレンにより一体成型されていることを特徴とする。
【００１２】
本発明の第２の態様に係る単管足場用作業台は、第１の態様において、前記平面部の内面には、前記２つの側面部のそれぞれの内周面と連続する内周面を有する２つの補助部材が配設されている。
【００１３】
本発明の第３の態様に係る単管足場用作業台は、第１又は第２の態様において、前記側面部の内周面に保持強化部材を配設し、前記保持強化部材が前記単管に当接する。
【００１４】
本発明の第４の態様に係る単管足場用作業台は、第１乃至第３の態様において、前記平面部の外面の少なくとも一部の領域に滑止部材を配設した。
【００１５】
本発明の第５の態様に係る単管足場用作業台は、第１乃至第３の態様において、前記平面部の外面は凹凸形状となっている。
【００１６】
本発明の第６の態様に係る単管足場用作業台は、第１乃至第３の態様において、前記平面部には所定の間隔で複数の開口部が形成されている。
【発明の効果】
【００１８】
本発明によれば、軽量で持ち運びや保管も簡便であり、単管に簡単に装着することができ、その装着時には単管間の隙間から下方が見えなくなることで作業者の高所に対する恐怖心も緩和され、作業者の移動時の安全性を向上させ、更に材料や道具等を一時的に置くことができるようにし、作業効率を大幅に向上させる単管足場用作業台を提供できる。
【図面の簡単な説明】
【００１９】
【図１】本発明の第１実施形態に係る単管足場用作業台の斜視図である。
【図２】同単管足場用作業台の構成図である。
【図３】同単管足場用作業台の使用状況を説明する図である。
【図４】同単管足場用作業台の改良例の構成図である。
【図５】本発明の第２実施形態に係る単管足場用作業台の構成図である。
【図６】本発明の第３実施形態に係る単管足場用作業台の構成図である。
【発明を実施するための形態】
【００２０】
以下、図面を参照しつつ本発明の実施形態について説明する。
【００２１】
（第１実施形態）
【００２２】
図１及び図２には、本発明の第１実施形態に係る単管足場用作業台の斜視図を示し説明する。より詳細には、図１には同単管足場用作業台の斜視図を示し、図２（ａ）には同単管足場用作業台の断面図を示し、図２（ｂ）には同単管足場用作業台の底面図を示し、図２（ｃ）には同単管足場用作業台の平面図を示し、図２（ｄ）には同単管足場用作業台の側面図を示し説明する。
【００２３】
これらの図に示されるように、単管足場用作業台１は、矩形形状の平面部２を備えており、該平面部２の長手方向の左右の端から連続して側面部３，４が形成されている。この側辺部３，４は、円筒形状の一部を呈するような形状となっている。
【００２４】
より詳細には、その内周面３ａ，４ａが、円筒形状の単管の外周面に当接するような直径の円筒形状の一部を長手方向に平行な２本の辺に沿って切り出したような形状となっている。従って、装着時には、側面部３，４の内周面３ａ，４ａが単管の外周面にフィットするので、両者の位置関係、ひいては単管足場用作業台１と単管との位置関係が固定され維持される。
【００２５】
平面部２及び側面部３，４は、ポリ塩化ビニール及びポリエチレンのいずれかにより一体成型されてよい。
【００２６】
この第１実施形態に係る単管足場作業台１では、側面部３，４は、その内周面３ａ，４ａが、単管の外周面全体の１／２に当接する長さとなっている。つまり、円筒形状の単管の外周面に当接するような直径の円筒形状の半分を長手方向に平行な２本の辺に沿って切り出したような形状となっている。但し、これには限定されない。
【００２７】
ここで、図３には単管足場用作業台１の使用の様子を示し説明する。
【００２８】
同図に示される単管足場では、縦方向に鉄パイプからなる単管１００，１０１を設置した後に、該単管１００，１０１に２本の単管１０２，１０３を横方向に平行に並べてクランプ及びボルト１０４により該単管１００，１０１に接合している。そして、この横方向に併設された単管１０２，１０３の上から覆い被せるように、単管足場用作業台１を装着している。単管足場用作業台は、可塑性のある材料で作られているので、側面部３，４を少し押し広げることで単管１０２，１０３の上から簡単に装着することができる。
【００２９】
図３で例示した単管足場に適用される単管足場用作業台１のサイズについては、一般的な単管の直径が４８．６ｍｍであることから、一般的な３連クランプの用いる場合を想定すると、幅を１８４〜１８７ｍｍ、長さを１ｍ〜３ｍ、高さを４９．６〜５０ｍｍとすることができる。厚さは、５ｍｍから７ｍｍとすることができる。但し、これらには限定されないことは勿論である。
【００３０】
図４（ａ）乃至図４（ｄ）には、第１実施形態に係る単管足場用作業台の改良例の構成を示し説明する。
【００３１】
先ず、図４（ａ）に示されるように、改良例に係る単管足場用作業台１０では、平面部１２に連続する側面部１３，１４は、内周面１３ａ，１４ａが単管の外周面の１／３に当接する長さとなっている。つまり、円筒形状の単管の外周面に当接するような直径の円筒形状の１／３を長手方向に平行な２本の辺に沿って切り出したような形状としている。この構成によれば、側面部１３，１４の端の内側に向いた突出量が単管足場用作業台１と比べて少ないので、装着がより簡単なものとなる。また、単管に対する位置の固定については、十分なされていることは勿論である。
【００３２】
図４（ｂ）に示されるように、改良例に係る単管足場用作業台２０では、平面部２１の内面２１ａは、２つの側面部２３，２４のそれぞれの内周面と連続する内周面を有する２つの補助部材２５，２６が配設されている。より詳細には、側面部２３の内周面２３ａと補助部材２５の内周面２５ａとが連続し、同一の円筒形状の周面を呈するような位置関係となり、それら全体で単管の外周面に当接する。同様に、側面部２４の内周面２４ａと補助部材２４の内周面２４ａとが連続し、同一の円筒形状の周面を呈するような位置関係となり、それら全体で単管の外周面に当接する。この構成によれば、単管に対する位置の固定をより強固なものとし、位置づれをより効果的に防止できる。
【００３３】
図４（ｃ）に示されるように、改良例に係る単管足場用作業台３１では、平面部３２に連続する側面部３３，３４の内周面３３ａ，３４ａに保持強化部材３５，３６を配設している。この保持強化部材３５，３６としては、ゴム等の弾性力があり、単管に対する密着度を高めるような各種素材を採用することができる。この構成によれば、側面部３３，３４の単管に対する位置の固定をより強固なものとすることができる。また、使用するクランプにより２本の単管の間隔にばらつきが生じるような場合でも、複数サイズの保持強化部材３５，３６を使い分けることで、フィット感を確保できる。
【００３４】
図４（ｄ）に示されるように、改良例に係る単管足場用作業台４１では、平面部４２の外面４２ａの少なくとも一部の領域に滑止部材４５を配設している。この滑止部材４５としてはゴム等の樹脂部材を採用することができる。例えば、作業台４１の短手方向に平行となるように、所定幅の滑止部材４５を、所定間隔をあけて平行に配設してもよい。この構成によれば、雨天時の作業等においても移動の安全性を確保することができる。
【００３５】
以上説明したように、本発明の第１実施形態によれば、軽量で持ち運びや保管も簡便であり、単管に簡単に装着することができる。
【００３６】
さらに、作業者の移動時の安全性を向上させることができる。例えば、高齢者や視力の弱い作業者であっても、移動の安全性が確保される。これは、ひいては雇用拡大をももたらすものである。
【００３７】
そして、材料や道具等を一時的に置くことができるようにし、作業効率を大幅に向上させることができる。
【００３８】
（第２実施形態）
【００３９】
図５には本発明の第２実施形態に係る単管足場用作業台の構成を示し説明する。より詳細には、図５（ａ）には同単管足場用作業台の断面図を示し、図５（ｂ）には同単管足場用作業台の底面図を示し、図５（ｃ）には同単管足場用作業台の平面図を示し、図５（ｄ）には同単管足場用作業台の側面図を示し説明する。
【００４０】
これらの図に示されるように、単管足場用作業台５１は、矩形形状の平面部５２を備えており、該平面部５２の長手方向の左右の端から連続して側面部５３，５４が形成されている。この側面部５３，５４は、円筒形状の一部を呈するような形状となっている。
【００４１】
より詳細には、その内周面５３ａ，５４ａが、円筒形状の単管の外周面に当接するような直径の円筒形状の一部を長手方向に平行な２本の辺に沿って切り出したような形状となっている。従って、装着時には、側面部５３，５４の内周面５３ａ，５４ａが単管の外周面にフィットするので、両者の位置関係、ひいては単管足場用作業台５１と単管との位置関係が固定され維持される。
【００４２】
そして、特に、この単管足場用作業台５１では、平面部５２の外面が凹凸形状となっている。より詳細には、平面部５２の外面に複数の凸部５２ａが形成されている。この例では、短手方向に平行となるように所定幅の凸部５２ａが複数併設されている。この凹凸形状については、平面部５２、側面部５３，５４を一体成型するときに形成されてよい。凸部５２ａの形状は一例であって、これには限定されない。
【００４３】
以上説明したように、本発明の第２実施形態によれば、前述した第１実施形態の効果に加えて、所定の間隔で設けられＴあ凸部により作業者の移動時のスリップをより効果的に防止できる。
【００４４】
（第３実施形態）
【００４５】
図６には本発明の第３実施形態に係る単管足場用作業台の構成を示し説明する。より詳細には、図６（ａ）には同単管足場用作業台の断面図を示し、図６（ｂ）には同単管足場用作業台の底面図を示し、図６（ｃ）には同単管足場用作業台の平面図を示し、図６（ｄ）には同単管足場用作業台の側面図を示し説明する。
【００４６】
これらの図に示されるように、単管足場用作業台６１は、矩形形状の平面部６２を備えており、該平面部６２の長手方向の左右の端から連続して側面部６３，６４が形成されている。この側面部６３，６４は、円筒形状の一部を呈するような形状となっている。
【００４７】
より詳細には、その内周面６３ａ，６４ａが、円筒形状の単管の外周面に当接するような直径の円筒形状の一部を長手方向に平行な２本の辺に沿って切り出したような形状となっている。従って、装着時には、側面部６３，６４の内周面６３ａ，６４ａが単管の外周面にフィットするので、両者の位置関係、ひいては単管足場用作業台６１と単管との位置関係が固定され維持される。
【００４８】
そして、特に、この単管足場用作業台６１では、平面部６２の外面に複数の開口部６２ａが形成されている。より詳細には、平面部６２の外面に複数の開口部６２ａが所定の間隔で形成されている。この開口部６２ａについては、平面部６２、側面部６３，６４を一体成型するときに形成されてよい。この例では、円形の開口部を例示したが、開口部６２ａの形状は一例であって、これには限定されない。
【００４９】
以上説明したように、本発明の第３実施形態によれば、前述した第１実施形態の効果に加えて、雨天時の作業において、雨水が平面部上に溜まることなく、開口部から流れるので、移動時にスリップするなどの事態をより効果的に防止できる。
【００５０】
以上、本発明の第１乃至代３実施形態について説明したが、本発明はこれに限定されることなく、その趣旨を逸脱しない範囲で種々の改良、変更が可能である。
【００５１】
例えば、平面部の形状は前述した矩形形状に限定されるものではなく、短手方向の端部が丸みを帯びた形状としてもよい。
【符号の説明】
【００５２】
１…単管足場用作業台、２…平面部、３…側面部、３ａ…内周面、４…側面部、４ａ…内周面、１１…単管足場用作業台、１２…平面部、１３…側面部、２１…単管足場用作業台、２２…平面部、２２ａ…内面、２３…側面部、２３ａ…内周面、２４…側面部、２４ａ…内周面、２５…補助部材、２５ａ…内周面、２６…補助部材、２６ａ…内周面、３１…単管足場用作業台、３２…平面部、３３…側面部、３３ａ…内周面、３４…側面部、３４ａ…内周面、３５…保持強化部材、３６…保持強化部材、４１…単管足場用作業台、４２…平面部、４３…側面部、４４…側面部、４５…滑止部材、５１…単管足場用作業台、５２…平面部、５２ａ…凸部、５３…側面部、５４…側面部、６１…単管足場用作業台、６２…平面部、６２ａ…開口部、６３…側面部、６４…側面部。
【要約】
【課題】単管に簡単に装着することができ、単管の隙間を見えなくすることで高所に対する恐怖心を緩和し、視力の弱い作業者や高齢の作業者でも単管の上で移動しやすいような環境を提供し、作業者の移動時の安全性を向上させ、更に材料や道具等を一時的に置くことができるようにし、作業効率を大幅に向上させる。
【解決手段】本発明は、間隔をあけて設置された２本の単管の上から覆い被せるように装着するもの単管足場用作業台であって、矩形形状の平面部と、前記平面部の左右の端からそれぞれ連続して形成されたもので、円筒形状の一部を呈するような形状で、前記装着時には内周面が前記単管の外周面に当接することで、該単管を保持する２つの側面部とを備えている。前記平面部及び側面部は、例えば、ポリ塩化ビニール及びポリエチレンのいずれかにより一体成型されてよい。
【選択図】図１【図１】
0005959085.tif 000002
【図２】
0005959085.tif 000003
【図３】
0005959085.tif 000004
【図４】
0005959085.tif 000005
【図５】
0005959085.tif 000006
【図６】
0005959085.tif 000007